(57)【要約】【課題】モジュール電池を適切に窒息消火する。【解決手段】容器の内部に形成される容器内空間に単電池群が収容される。筐体の内部に形成される筐体内空間にモジュール電池及び噴射ノズルが収容される。容器の天面は、鉛直方向上方を向く。噴射ノズルは、天面に沿って膨張ひる石が進行する方向に膨張ひる石を噴射する。複合輸送管に形成される輸送流路を経由して膨張ひる石が圧送される。輸送流路は、筐体の外部から噴射ノズルへ至る。【選択図】図２
2014061202.tif 000002
【特許請求の範囲】
【請求項１】
単電池群及び容器を備え、前記容器が天面を備え、前記天面が鉛直方向上方を向き、前記容器の内部に容器内空間が形成され、前記単電池群が前記容器内空間に収容されるモジュール電池と、
筐体内空間が内部に形成され、前記筐体内空間に前記モジュール電池が収容される筐体と、
前記筐体内空間に収容され、前記天面に沿って膨張ひる石が進行する方向に膨張ひる石を噴射する噴射ノズルと、
輸送流路が形成され、前記輸送流路を経由して膨張ひる石が圧送され、前記輸送流路が前記筐体の外部から前記噴射ノズルへ至る流路形成体と、
を備える電力貯蔵装置。
【請求項２】
前記容器に奥行き方向及び幅方向が定義され、
前記容器が手前側の側面及び奥側の側面を備え、
前記噴射ノズルが、第１の噴射ノズルであり、前記容器の幅方向の中央より一方の側にあり、手前側から奥側へ膨張ひる石を噴射し、
前記流路形成体が第１の流路形成体であり、
前記輸送流路が第１の輸送流路であり、
前記筐体内空間に収容され、前記天面に沿って膨張ひる石が進行する方向に膨張ひる石を噴射し、前記容器の幅方向の中央より他方の側にあり、手前側から奥側へ膨張ひる石を噴射する第２の噴射ノズルと、
第２の輸送流路が形成され、前記第２の輸送流路を経由して膨張ひる石が圧送され、前記第２の輸送流路が前記筐体の外部から前記第２の噴射ノズルへ至る第２の流路形成体と、
捕集口が形成され、前記捕集口が鉛直方向上方を向き、前記捕集口が前記奥側の側面上の前記天面寄りの位置に配置され、前記奥側の側面に沿い、前記容器の幅方向の中央にあるカゴと、
をさらに備える請求項１の電力貯蔵装置。
【請求項３】
第１の反射面が形成され、前記第１の反射面が前記容器の幅方向の中央より一方の側にあり前記奥側の側面よりさらに奥側にあり、前記第１の噴射ノズルにより噴射され前記第１の反射面に衝突した膨張ひる石を反射して前記容器の幅方向の中央へ誘導する第１の中央誘導体と、
第２の反射面が形成され、前記第２の反射面が前記容器の幅方向の中央より他方の側にあり前記奥側の側面よりさらに奥側にあり、前記第２の噴射ノズルにより噴射され前記第２の反射面に衝突した膨張ひる石を反射して前記容器の幅方向の中央へ誘導する第２の中央誘導体と、
をさらに備える請求項２の電力貯蔵装置。
【請求項４】
平坦面を有し、前記平坦面が前記天面に対向する構造物、
をさらに備える
請求項１から請求項３までのいずれかの電力貯蔵装置。
【請求項５】
前記筐体は、
開口が形成される筐体本体と、
前記開口を開閉し、前記噴射ノズル及び前記流路形成体が取り付けられる扉と、
を備える請求項１から請求項４までのいずれかの電力貯蔵装置。
【請求項６】
前記輸送流路が第１の断面を有し、
前記噴射ノズルに噴射孔及びノズル内流路が形成され、
前記ノズル内流路が、前記輸送流路に通じ、前記第１の断面より広げられた第２の断面を有し、
前記噴射孔が、前記ノズル内流路に通じ、前記第１の断面より狭められた開口を有する請求項１から請求項５までのいずれかの電力貯蔵装置。
【請求項７】
前記噴射ノズルは、
噴射孔及びノズル内流路が形成される噴射ノズル本体と、
被挿入孔が形成され、前記噴射孔が前記被挿入孔に通じ、前記被挿入孔に前記流路形成体が挿入される連結機構と、
を備える請求項１からの請求項５までのいずれかの電力貯蔵装置。
【請求項８】
前記流路形成体は、
第１の分割体と、
前記第１の分割体に連結される第２の分割体と、
を備え、
前記輸送流路は、
前記第１の分割体に形成され、第１の区間断面を有する第１の区間と、
前記第２の分割体に形成され、前記第１の区間に通じ、前記第１の区間より下流にあり、前記第１の区間断面より狭められない第２の区間断面を有する第２の区間と、
を備える請求項１から請求項７までのいずれかの電力貯蔵装置。
【請求項９】
前記流路形成体は、
前記第１の分割体の端部及び前記第２の分割体の端部が当たった状態で前記第１の分割体及び前記第２の分割体を連結する分割体の連結機構
をさらに備える請求項８の電力貯蔵装置。
【請求項１０】
前記流路は、
湾曲区間
を備え、
前記湾曲区間の中心線の曲率半径が前記湾曲区間の内径の５倍以上１０倍以下である請求項１から請求項９までのいずれかの電力貯蔵装置。
【発明の詳細な説明】
【技術分野】
【０００１】
本発明は、電力貯蔵装置に関する。
【背景技術】
【０００２】
特許文献１は、電力貯蔵装置に関する。特許文献１の電力貯蔵装置はモジュール電池を備える。モジュール電池においては、ナトリウム−硫黄電池の単電池群（集合電池２）が容器（収納ケース１）の内部に形成された容器内空間に収容される。流路形成体（連結配管６及び分岐管７）に形成された輸送流路は、容器内空間に通じる。火災が発生した場合は、消火剤が輸送流路を経由して圧送され、容器内空間が消火剤で満たされる。
【先行技術文献】
【特許文献】
【０００３】
【特許文献１】特開平５−３１７４４０号公報
【発明の概要】
【発明が解決しようとする課題】
【０００４】
特許文献１の電力貯蔵装置においては、容器内空間が消火剤で満たされるが、供給可能な消火剤の量は容器内空間の容積以下に制限される。本発明は、この問題を解決するためになされる。本発明の目的は、モジュール電池を多量の消火剤で適切に埋設し窒息消火することである。
【課題を解決するための手段】
【０００５】
本発明は、電力貯蔵装置に向けられる。
【０００６】
本発明の第１の局面においては、容器の内部に形成される容器内空間に単電池群が収容される。筐体の内部に形成される筐体内空間にモジュール電池及び噴射ノズルが収容される。容器の天面は、鉛直方向上方を向く。噴射ノズルは、天面に沿って膨張ひる石が進行する方向に膨張ひる石を噴射する。流路形成体に形成される輸送流路を経由して膨張ひる石が圧送される。輸送流路は、筐体の外部から噴射ノズルへ至る。
【０００７】
本発明の第２の局面は、本発明の第１の局面にさらなる事項を付加する。本発明の第２の局面においては、容器に奥行き方向及び幅方向が定義される。上記の噴射ノズルは、第１の噴射ノズルである。上記の流路形成体は、第１の流路形成体である。上記の輸送流路は、第１の輸送流路である。第１の噴射ノズルは、容器の幅方向の中央より一方の側にある。第２の噴射ノズルは、容器の幅方向の中央より他方の側にある。第２の噴射ノズルは、筐体内空間に収容され、天面に沿って膨張ひる石が進行する方向に膨張ひる石を噴射する。第１の噴射ノズル及び第２の噴射ノズルは、手前側から奥側へ膨張ひる石を噴射する。第２の流路形成体に形成される第２の輸送流路を経由して膨張ひる石が圧送される。第２の輸送流路が筐体の外部から第２の噴射ノズルへ至る。カゴに形成される捕集口が鉛直方向上方を向く。捕集口は、奥側の側面上の天面寄りの位置に配置される。カゴは、容器の奥側の側面に沿う。カゴは、容器の幅方向の中央にある。
【０００８】
本発明の第３の局面は、本発明の第２の局面にさらなる事項を付加する。本発明の第３の局面においては、第１の中央誘導体に形成される第１の反射面が容器の幅方向の中央より一方の側にある。第２の中央誘導体に形成される第２の反射面が容器の幅方向の中央より他方の側にある。第１の反射面及び第２の反射面は、容器の奥側の側面よりさらに奥側にある。第１の噴射ノズルにより噴射され第１の反射面に衝突した膨張ひる石は、第１の反射面により反射され容器の幅方向の中央へ誘導される。第２の噴射ノズルにより噴射され第２の反射面に衝突した膨張ひる石は、第２の反射面に反射され容器の幅方向の中央へ誘導される。
【０００９】
本発明の第４の局面は、本発明の第１から第３までのいずれかの局面にさらなる事項を付加する。本発明の第４の局面においては、構造物の平坦面が天面に対向する。
【００１０】
本発明の第５の局面は、本発明の第１から第４までのいずれかの局面にさらなる事項を付加する。本発明の第５の局面においては、筐体本体に形成された開口が扉に開閉される。噴射ノズル及び流路形成体は、扉に取り付けられる。
【００１１】
本発明の第６の局面は、本発明の第１から第５までのいずれかの局面にさらなる事項を付加する。本発明の第６の局面においては、噴射ノズルに形成されるノズル内流路の断面が輸送流路の断面より広げられる。噴射ノズルに形成される噴射孔の開口が輸送流路の断面より狭められる。噴射孔は、ノズル内流路に通じる。ノズル内流路は、輸送流路に通じる。
【００１２】
本発明の第７の局面は、本発明の第１から第５までのいずれかの局面にさらなる事項を付加する。本発明の第７の局面においては、噴射孔が噴射ノズル本体に形成される。連結機構に形成される被挿入孔に流路形成体が挿入される。噴射孔が被挿入孔に通じる。
【００１３】
本発明の第８の局面は、本発明の第１から第７までのいずれかの局面にさらなる事項を付加する。本発明の第８の局面においては、流路形成体の第１の分割体及び第２の分割体が連結される。輸送流路の第１の区間は、第１の分割体に形成される。輸送流路の第２の区間は、第２の分割体に分割される。第２の区間の区間断面は、第１の区間の区間断面より狭められない。第２の区間は、第１の区間の下流にある。
【００１４】
本発明の第９の局面は、本発明の第８の局面にさらなる事項を付加する。本発明の第９の局面においては、分割体の連結機構は、第１の分割体の端部及び第２の分割体の端部が当たった状態で第１の分割体及び第２の分割体を連結する。
【００１５】
本発明の第１０の局面は、本発明の第１から第９までのいずれかの局面にさらなる事項を付加する。本発明の第１０の局面においては、流路の湾曲区間の中心線の曲率半径が湾曲区間の内径の５倍以上１０倍以下である。
【発明の効果】
【００１６】
本発明の第１の局面によれば、一方の側から他方の側へ徐々にモジュール電池が膨張ひる石に覆われる。モジュール電池が多量の膨張ひる石で適切に埋設され窒息消火させられる。
【００１７】
本発明の第２の局面によれば、容器の幅方向の中央の近くに到達した膨張ひる石がカゴに捕集される。容器の幅方向の中央において容器の奥側の側面が膨張ひる石で覆われやすくなる。モジュール電池が膨張ひる石で適切に埋設され窒息消火させられる。
【００１８】
本発明の第３の局面によれば、容器の幅方向の中央の近くに到達する膨張ひる石が増加する。多くの膨張ひる石がカゴに捕集される。モジュール電池が膨張ひる石で適切に埋設され窒息消火させられる。
【００１９】
本発明の第４の局面によれば、ガスの流れが乱れにくくなる。膨張ひる石が天面の上方を効率よく通過する。
【００２０】
本発明の第５の局面によれば、扉が開かれた場合に噴射ノズル及び流路形成体の干渉を受けることなくモジュール電池に到達できる。モジュール電池の保全が容易になる。
【００２１】
本発明の第６の局面によれば、膨張ひる石が勢いよく噴射される。膨張ひる石が流路に詰まりにくい。
【００２２】
本発明の第７の局面によれば、噴射ノズル及び流路形成体の連結箇所において流路の断面が広がる。膨張ひる石が流路に詰まりにくい。
【００２３】
本発明の第８の局面によれば、第１の分割体及び第２の分割体の連結箇所において流路の断面が狭まらない。膨張ひる石が流路に詰まりにくい。
【００２４】
本発明の第１０の局面によれば、膨張ひる石が流路に詰まりにくい。流路形成体が大きくなりすぎない。
【００２５】
これらの及びこれら以外の本発明の目的、特徴、局面及び利点は、添付図面とともに考慮されたときに下記の本発明の詳細な説明によってより明白となる。
【図面の簡単な説明】
【００２６】
【図１】電力貯蔵装置の正面図である。
【図２】モジュール電池及びその周辺の構成物の斜視図である。
【図３】モジュール電池及びその周辺の構成物の側面図である。
【図４】モジュール電池及びその周辺の構成物の上面図である。
【図５】モジュール電池の断面図である。
【図６】噴射ノズルの斜視図である。
【図７】噴射ノズルの断面図である。
【図８】複合輸送管の断面図である。
【図９】モジュール電池が膨張ひる石に埋設されつつある状態の側面図である。
【図１０】スライドベースの斜視図である。
【図１１】輸送流路の断面等の関係を示す模式図である。
【図１２】噴射ノズル及び複合輸送管の連結構造の断面図である。
【発明を実施するための形態】
【００２７】
（概略）
この実施の形態は、消火のための機構を内蔵した電力貯蔵装置に関する。
【００２８】
図１の模式図は、電力貯蔵装置の正面図である。図２の模式図は、モジュール電池及びその周辺の構成物の斜視図である。図３の模式図は、モジュール電池及びその周辺の構成物の側面図である。図４の模式図は、モジュール電池及びその周辺の構成物の上面図である。図５の模式図は、モジュール電池の断面図である。図６の模式図は、噴射ノズルの斜視図である。図７の模式図は、噴射ノズルの断面図である。図８の模式図は、複合輸送管の断面図である。
【００２９】
図１に示すように、電力貯蔵装置１０００は、筐体１０２０、モジュール電池１０２１、消火のための機構１０２２及び筐体内配線１０２３を備える。電力貯蔵装置１０００は、１個又は２個以上のモジュール電池を筐体１０２０の内部に備え、モジュール電池の数と同じ数の消火のための機構を備える。１個の消火のための機構が１個のモジュール電池に付随する。電力貯蔵装置１０００が２個以上のモジュール電池を備える場合は、２個以上のモジュール電池が鉛直方向に配列される場合がある。２個以上のモジュール電池が水平方向に配列されてもよい。２個以上のモジュール電池が垂直方向に配列され、垂直方向に配列された２個以上のモジュール電池がさらに水平方向に配列される場合もある。モジュール電池の数は、電力貯蔵装置１０００の仕様に応じて増減される。
【００３０】
筐体１０２０は、筐体本体１０４０及び両開き扉１０４１を備える。両開き扉１０４１は、左側の扉１０６０及び右側の扉１０６１を備える。
【００３１】
図２から図４までに示すように、消火のための機構１０２２は、左側の噴射ノズル１０８０、右側の噴射ノズル１０８１、左側の複合輸送管１０８２、右側の複合輸送管１０８３、カゴ１０８４、左側の中央誘導板１０８５、右側の中央誘導板１０８６及び延焼防止板１０８７を備える。
【００３２】
図５に示すように、モジュール電池１０２１は、容器１１００、ナトリウム−硫黄電池の単電池群１１０１、容器内配線１１０２、端子１１０３、砂１１０４及びスライドベース１１０５を備える。単電池群１１０１に含まれる単電池の数は、モジュール電池１０２１の仕様に応じて増減される。
【００３３】
容器１１００は、箱体１１２０及び蓋体１１２１を備える。容器１１００は、スライドベース１１０５の上面１５２０に配設される。
【００３４】
図６及び図７に示すように、左側の噴射ノズル１０８０及び右側の噴射ノズル１０８１の各々は、噴射ノズル本体１１４０及び輸送管接続部１１４１を備える。輸送管接続部１１４１は、筒１１６０及び止めねじ１１６１を備える。左側の噴射ノズル１０８０及び右側の噴射ノズル１０８１の構造が異なる場合もある。
【００３５】
図８に示すように、左側の複合輸送管１０８２及び右側の複合輸送管１０８３の各々は、非湾曲輸送管１２２０、第１のカップリング１２２１、湾曲輸送管１２２２及び第２のカップリング１２２３を備える。左側の複合輸送管１０８２及び右側の複合輸送管１０８３の構造が異なる場合もある。
【００３６】
これらの構成物以外の構成物が電力貯蔵装置１０００に付加されてもよい。これらの構成物の一部が電力貯蔵装置１０００から省略される場合もある。
【００３７】
モジュール電池１０２１は、図１に示される筐体内配線１０２３を経由して充放電される。モジュール電池１０２１が充放電される場合は、充放電されるモジュール電池１０２１に属する単電池群１１０１が図５に示される容器内配線１１０２を経由して充放電される。筐体内配線１０２３及び容器内配線１１０２は、端子１１０３を介して電気的に接続される。電力貯蔵装置１０００は、望ましくは電力系統に電気的に接続され、電力の需給の調整、停電防止等に用いられる。
【００３８】
図８に示すように、左側の複合輸送管１０８２及び右側の複合輸送管１０８３の各々には、輸送流路１２６０が形成される。図１に示すように、モジュール電池１０２１に火災が発生した場合は、膨張ひる石及び圧送ガスの混合流を供給する機構９０００の放出口９００１が左側の複合輸送管１０８２及び右側の複合輸送管１０８３の供給口１２７０に接続され、膨張ひる石及び圧送ガスの混合流が輸送流路１２６０に供給される。
【００３９】
輸送流路１２６０の供給口１２７０に供給された膨張ひる石は、輸送流路１２６０を経由して左側の噴射ノズル１０８０及び右側の噴射ノズル１０８１まで圧送され、左側の噴射ノズル１０８０及び右側の噴射ノズル１０８１により噴射される。左側の噴射ノズル１０８０及び右側の噴射ノズル１０８１により噴射された膨張ひる石は、容器１１００の天面１２８０に沿って進行する。
【００４０】
左側の噴射ノズル１０８０及び右側の噴射ノズル１０８１は、容器１１００の奥行き方向Ｄであって手前側から奥側へ向かう方向に膨張ひる石を噴射する。図９に示すように、モジュール電池１０２１は、奥側から手前側へ徐々に膨張ひる石１０９０に埋設され、適切に窒息消火させられる。
【００４１】
（膨張ひる石の性質）
膨張ひる石１０９０は、窒息消火用の消火剤として有用であり、日本国の消防法において第５種消防設備として認められている。膨張ひる石１０９０は、砂、セラミックス粉末等の粉粒体と異なる性質を持つ。例えば、膨張ひる石１０９０は、小さな比重を持ち、大きな空隙率を持ち、圧縮性を有する。このため、消火剤が膨張ひる石１０９０である場合は、モジュール電池１０２１が損傷しにくく、消火剤の輸送及び噴射に要する動力が小さくなる。一方、消火剤が膨張ひる石１０９０である場合は、消火剤が流路に詰まりやすい。
【００４２】
消火のための機構１０２２は、膨張ひる石１０９０を、滞りなく輸送し、滞りなく噴射でき、緊急時に確実に動作する。
【００４３】
膨張ひる石１０９０及び圧送ガスの混合流において膨張ひる石１０９０が占める比率には、望ましい範囲がある。膨張ひる石１０９０の比率が大きい場合は、膨張ひる石１０９０を輸送及び噴射するために必要な圧送ガスが少なくなるが、膨張ひる石１０９０が流路に詰まりやすくなる。膨張ひる石１０９０の比率が小さい場合は、膨張ひる石１０９０が流路に詰まりにくくなるが、膨張ひる石１０９０を輸送及び噴射するために必要な圧送ガスが多くなる。
【００４４】
膨張ひる石１０９０及び圧送ガスの混合流においては、望ましくは膨張ひる石１０９０の見かけの体積の１０〜２０倍の量の圧送ガスが用いられる。これにより、膨張ひる石１０９０が滞りなく輸送される。圧送ガスの量がこの範囲より減少した場合は、膨張ひる石が輸送流路１２６０に詰まりやすくなる。圧送ガスの量がこの範囲より増加した場合は、圧送ガスが無駄に消費される。
【００４５】
（筐体の収容物）
図１、図３及び図４に示すように、筐体１０２０の内部には、筐体内空間１３００が形成される。モジュール電池１０２１、消火のための機構１０２２及び筐体内配線１０２３は、筐体内空間１３００に収容される。制御機器、電力機器、空調機器等が筐体内空間１３００に収容される場合もある。左側の複合輸送管１０８２及び右側の複合輸送管１０８３の供給口１２７０が筐体１０２０の外部に飛び出す場合もある。
【００４６】
（容器の収容物）
図５に示すように、蓋体１１２１が箱体１１２０の開口にかぶせられ、容器１１００の内部に容器内空間１３２０が形成される。単電池群１１０１、容器内配線１１０２及び砂１１０４は、容器内空間１３２０に収容される。ヒーター、温度センサー等が容器内空間１３２０に収容される場合もある。
【００４７】
（膨張ひる石の流路）
図６及び図７に示すように、噴射ノズル本体１１４０には、噴射孔１３４０及びノズル内流路１３４１が形成される。筒１１６０には、非湾曲輸送管挿入孔１３６０が形成される。噴射孔１３４０は、ノズル内流路１３４１に通じ、ノズル内流路１３４１を介して非湾曲輸送管挿入孔１３６０に通じる。ノズル内流路１３４１は、非湾曲輸送管挿入孔１３６０に通じる。ノズル内流路１３４１は、輸送流路１２６０に通じる。
【００４８】
図８に示すように、輸送流路１２６０の非湾曲区間１４２０は、非湾曲輸送管１２２０に形成される。輸送流路１２６０の湾曲区間１４２１は、湾曲輸送管１２２２に形成される。輸送流路１２６０は、筐体１０２０の外部から左側の噴射ノズル１０８０及び右側の噴射ノズル１０８１へ至る。供給口１２７０は、筐体１０２０の外部に露出する。輸送流路１２６０は、膨張ひる石１０９０を圧送可能な構造を持つ。例えば、輸送流路１２６０の内径、断面形状、曲率半径等は、膨張ひる石１０９０を圧送可能であるように選択される。
【００４９】
輸送流路１２６０に膨張ひる石１０９０及び圧送ガスの混合流が供給された場合は、湾曲区間１４２１及び非湾曲区間１４２０を順次に経由して膨張ひる石１０９０が左側の噴射ノズル１０８０及び右側の噴射ノズル１０８１まで圧送される。膨張ひる石１０９０は、ノズル内流路１３４１を経由して噴射孔１３４０から噴射される。膨張ひる石１０９０は、噴射孔１３４０が向く方向に主に噴射される。
【００５０】
（容器の表面）
図２から図４までに示すように、容器１１００の天面１２８０は、奥行き方向Ｄ及び幅方向Ｗに広がり、鉛直方向上方を向く。容器１１００の手前側の側面１２８１及び奥側の側面１２８２は、高さ方向Ｈ及び幅方向Ｗに広がり、容器１１００の奥行き方向Ｄに離れる。容器１１００の手前側の側面１２８１及び奥側の側面１２８２の両方又は片方が傾斜してもよい。容器１１００の高さ方向Ｈは鉛直方向であるが、容器１１００の奥行き方向Ｄ及び幅方向Ｗは任意に定義される。長い方向が幅方向Ｗであるとは限らない。膨張ひる石１０９０が主に噴射される方向が奥行き方向Ｄであり、噴射された膨張ひる石１０９０が進行する方向が手前側から奥側へ向かう方向である。
【００５１】
（膨張ひる石による中央の埋設）
図２から図４までに示すように、カゴ１０８４は、容器１１００の奥側の側面１２８２に沿う。カゴ１０８４は、容器１１００の幅方向Ｗの中央にある。カゴ１０８４に形成された捕集口１４６０は、鉛直方向上方を向く。捕集口１４６０は、容器１１００の奥側の側面１２８２上の容器１１００の天面１２８０寄りの位置に配置され、容器１１００の底面よりも容器１１００の天面１２８０に近い。容器１１００の奥行き方向Ｄから見た場合は、カゴ１０８４の形状は逆三角形である。
【００５２】
左側の噴射ノズル１０８０は、容器１１００の幅方向Ｗの中央より左側にある。右側の噴射ノズル１０８１は、容器１１００の幅方向Ｗの中央より右側にある。
【００５３】
膨張ひる石１０９０は、左側の噴射ノズル１０８０及び右側の噴射ノズル１０８１の正面に主に噴射される。左側の噴射ノズル１０８０により噴射される膨張ひる石１０９０は、左側の噴射ノズル１０８０の正面から離れるにつれて減少する。右側の噴射ノズル１０８１により噴射される膨張ひる石１０９０は、右側の噴射ノズル１０８１の正面から離れるにつれて減少する。容器１１００の幅方向Ｗの中央に到達する膨張ひる石１０９０は少量である。カゴ１０８４が容器１１００の幅方向Ｗの中央にある場合は、容器１１００の幅方向Ｗの中央の近くに到達した膨張ひる石１０９０がカゴ１０８４に捕集される。これにより、容器１１００の幅方向Ｗの中央において容器１１００の奥側の側面１２８２が膨張ひる石１０９０で覆われやすくなり、モジュール電池１０２１が膨張ひる石１０９０で適切に埋設され窒息消火させられる。ただし、カゴ１０８４が省略された場合も、消火のための機構１０２２の有用性は完全には失われない。例えば、容器１１００の幅方向Ｗの中央に噴射ノズルが追加された場合は、カゴ１０８４が省略されても、モジュール電池１０２１が膨張ひる石１０９０で適切に埋設され窒息消火させられる。とはいえ、容器１１００の幅方向Ｗの中央にある噴射ノズルは、両開き扉１０４１に固定しがたく、モジュール電池１０２１の保全の障害になりやすい。容器１１００の幅が狭い場合は、カゴ１０８４が省略され、左側の噴射ノズル１０８０及び右側の噴射ノズル１０８１に代えて容器１１００の幅方向Ｗの中央にある噴射ノズルのみが設けられてもよい。
【００５４】
左側の噴射ノズル１０８０及び右側の噴射ノズル１０８１は、望ましくは容器１１００の幅方向Ｗの中央について左右対称に設置される。これにより、容器１１００の幅方向Ｗについてモジュール電池１０２１が膨張ひる石１０９０に均一に埋設される。
【００５５】
左側の噴射ノズル１０８０及び右側の噴射ノズル１０８１は、望ましくは容器１１００の手前側の側面１２８１の近くに設置される。これにより、容器１１００の手前側までモジュール電池１０２１が膨張ひる石１０９０に均一に埋設される。
【００５６】
左側の噴射ノズル１０８０及び右側の噴射ノズル１０８１は、望ましくは容器１１００の天面１２８０に接する。
【００５７】
（中央への膨張ひる石の誘導）
図２及び図４に示すように、左側の中央誘導板１０８５の反射面１４８０は、容器１１００の幅方向Ｗの中央より左側にある。右側の中央誘導板１０８６の反射面１５００は、容器１１００の幅方向Ｗの中央より右側にある。左側の中央誘導板１０８５の反射面１４８０及び右側の中央誘導板１０８６の反射面１５００は、容器１１００の奥側の側面１２８２よりもさらに奥側にある。
【００５８】
左側の中央誘導板１０８５の反射面１４８０は、容器１１００の幅方向Ｗの中央寄りにおいては容器１１００の奥行き方向Ｄであって奥側から手前側へ向かう方向を向き、容器１１００の幅方向Ｗの縁部寄りにおいては手前側に湾曲させられる。左側の噴射ノズル１０８０により噴射され左側の中央誘導板１０８５の反射面１４８０に衝突した膨張ひる石１０９０は、左側の中央誘導板１０８５の反射面１４８０に反射され容器１１００の幅方向Ｗの中央へ誘導される。
【００５９】
右側の中央誘導板１０８６の反射面１５００は、容器１１００の幅方向Ｗの中央寄りにおいては容器１１００の奥行き方向Ｄであって奥側から手前側へ向かう方向を向き、容器１１００の幅方向Ｗの縁部寄りにおいては手前側に湾曲させられる。右側の噴射ノズル１０８１により噴射され右側の中央誘導板１０８６の反射面１５００に衝突した膨張ひる石１０９０は、右側の中央誘導板１０８６の反射面１５００に反射され容器１１００の幅方向Ｗの中央へ誘導される。
【００６０】
これにより、容器１１００の幅方向Ｗの中央の近くに到達する膨張ひる石１０９０が増加する。カゴ１０８４に捕集される膨張ひる石１０９０が増加し、モジュール電池１０２１が膨張ひる石１０９０で適切に埋設され窒息消火させられる。
【００６１】
左側の中央誘導板１０８５及び右側の中央誘導板１０８６は、望ましくは容器１１００の天面１２８０に接する。
【００６２】
左側の中央誘導板１０８５が反射面１４８０と同様の反射面を有する板とは呼びがたい物体に置き換えられてもよい。右側の中央誘導板１０８６が反射面１５００と同様の反射面を有する板とは呼びがたい物体に置き換えられてもよい。例えば、左側の中央誘導板１０８５及び右側の中央誘導板１０８６の両方又は片方がブロック、シート等に置き換えられてもよい。
【００６３】
（ガスの流れの安定化）
図２及び図３に示すように、容器１１００はスライドベース１１０５の上面１５２０に設置される。容器１１００及びスライドベース１１０５は、一体化される。上段のモジュール電池のスライドベース１０２５の下面１５２１には、延焼防止板１０８７が取り付けられる。延焼防止板１０８７は、耐熱材からなる。
【００６４】
延焼防止板１０８７の下面１５４０は、平坦面であり、容器１１００の天面１２８０に対向する。これにより、ガスの流れがスライドベース１０２５に乱されにくくなる。ガスの流れが乱れない場合は、膨張ひる石１０９０が容器１１００の天面１２８０の上方を効率よく通過する。特に、図１０に示すようにガスが流れる奥行き方向Ｄと垂直な方向に伸びる棒材１５５０が配列されたスノコ構造を上段のスライドベース１０２５が有する場合は、ガスの流れが上段のスライドベース１０２５に乱されやすいので、延焼防止板１０８７によりガスの流れが著しく安定する。延焼防止板１０８７の材質が耐熱材以外であってもよい。例えば、延焼防止板１０８７の材質が金属であってもよい。
【００６５】
（噴射ノズル及び複合輸送管の取り付け）
図４に示すように、筐体本体１０４０の開口１５６０は、両開き扉１０４１により開閉される。主に電力貯蔵装置１０００が保全される場合に両開き扉１０４１が開かれる。
【００６６】
図３及び図４に示すように、左側の噴射ノズル１０８０及び左側の複合輸送管１０８２は、左側の扉１０６０に取り付けられ、左側の扉１０６０とともに移動する。右側の噴射ノズル１０８１及び右側の複合輸送管１０８３は、右側の扉１０６１に取り付けられ、右側の扉１０６１とともに移動する。これにより、両開き扉１０４１が開かれた場合に左側の噴射ノズル１０８０、右側の噴射ノズル１０８１、左側の複合輸送管１０８２及び右側の複合輸送管１０８３の干渉を受けることなくモジュール電池１０２１に到達でき、モジュール電池１０２１の保全が容易になる。ただし、左側の噴射ノズル１０８０、右側の噴射ノズル１０８１、左側の複合輸送管１０８２及び右側の複合輸送管１０８３の全部又は一部が両開き扉１０４１以外に取り付けられた場合も消火のための機構１０２２の有用性は完全には失われない。
【００６７】
両開き扉１０４１が片開き扉に置き換えられてもよい。両開き扉１０４１が片開き扉に置き換えられた場合は、望ましくは左側の噴射ノズル１０８０、右側の噴射ノズル１０８１、左側の複合輸送管１０８２及び右側の複合輸送管１０８３が片開き扉に固定される。
【００６８】
（輸送流路の断面、ノズル内流路の断面及び噴射孔の開口の関係）
図１１の模式図は、輸送流路の断面、ノズル内流路の断面及び噴射孔の開口の関係を示す。
【００６９】
図１１に示すように、ノズル内流路１３４１の断面は、輸送流路１２６０の断面より広げられる。噴射孔１３４０の開口は、輸送流路１２６０の断面より狭められる。ノズル内流路１３４１の断面積は、輸送流路１２６０の断面積より大きい。噴射孔１３４０の開口面積は、輸送流路１２６０の断面積より小さい。
【００７０】
噴射孔１３４０の開口が輸送流路１２６０の断面より狭められた場合は、膨張ひる石１０９０が勢いよく噴射される。しかし、単に噴射孔１３４０の開口が輸送流路１２６０の断面より狭められた場合は、膨張ひる石１０９０が流路に詰まりやすい。特に、膨張ひる石１０９０及び圧送ガスの混合流において膨張ひる石１０９０が占める比率が大きい場合は、膨張ひる石１０９０が流路に詰まりやすい。
【００７１】
ノズル内流路１３４１の断面が輸送流路１２６０の断面より広げられた場合は、噴射孔１３４０の開口が輸送流路１２６０の断面より狭められていても、膨張ひる石１０９０が流路に詰まりにくい。
【００７２】
ただし、上記の関係が満たされない場合も、消火のための機構１０２２の有用性は完全には失われない。例えば、混合流において膨張ひる石１０９０が占める比率が小さい場合は、上記の関係が満たされない場合も、膨張ひる石１０９０が流路に詰まりにくい。ただし、膨張ひる石１０９０が占める比率が小さい場合は、モジュール電池１０２１を膨張ひる石１０９０で埋設するのに要する時間が長くなり、多くの圧送ガスが必要になる。
【００７３】
ノズル内流路１３４１の断面形状及び噴射孔１３４０の開口形状は、矩形である。ノズル内流路１３４１の断面形状が矩形以外であってもよい。噴射孔１３４０の開口形状が矩形以外であってもよい。
【００７４】
図７に示すノズル内流路１３４１の前端部１５８０及び後端部１５８２においては、ノズル内流路１３４１の断面の幅及び高さは一定であり、ノズル内流路１３４１の断面積は一定である。図７に示すノズル内流路１３４１の中間部１５８１においては、ノズル内流路１３４１の断面の幅は一定であるがノズル内流路１３４１の断面の高さが後端部１５８２の側から前端部１５８０の側へ進むにつれて連続的に低くなり、ノズル内流路１３４１の断面積が後端部１５８２の側から前端部１５８０の側へ進むにつれて連続的に小さくなる。ノズル内流路１３４１が延在する方向は、後端部１５８２においては鉛直方向であり、中間部１５８１においては鉛直方向から水平方向へ９０°湾曲し、前端部１５８０においては水平方向である。中間部１５８１の内周側の側壁となる中間部内曲り板１５８４及び中間部１５８１の外周側の側壁となる中間部外曲り板１５８５の曲率半径は、望ましくは前端部１５８０の断面の高さの５倍以上１０倍以下である。曲率半径がこの範囲内である場合は、膨張ひる石１０９０がノズル内流路１３４１に詰まりにくく、中間部１５８１が大きくなりすぎない。曲率半径がこの範囲より小さい場合は、膨張ひる石１０９０がノズル内流路１３４１に詰まりやすい。曲率半径がこの範囲より大きい場合は、中間部１５８１が大きくなりする。
【００７５】
（噴射ノズル及び複合輸送管の連結）
図１２の模式図は、噴射ノズル及び複合輸送管の連結構造の断面図である。
【００７６】
図１２に示すように、非湾曲輸送管挿入孔１３６０には、非湾曲輸送管１２２０が挿入される。非湾曲輸送管１２２０は、止めねじ１１６１により固定される。
【００７７】
非湾曲輸送管１２２０が筒１１６０に形成された非湾曲輸送管挿入孔１３６０に挿入される場合は、左側の噴射ノズル１０８０及び左側の複合輸送管１０８２の連結箇所において流路の断面が広がり、右側の噴射ノズル１０８１及び右側の複合輸送管１０８３の連結箇所において流路の断面が広がる。これにより、膨張ひる石１０９０が流路に詰まりにくくなる。
【００７８】
非湾曲輸送管１２２０が止めねじ１１６１以外の固定機構により固定されてもよい。例えば、つめ、バンド、テープ、接着剤等により非湾曲輸送管１２２０が固定されてもよい。非湾曲輸送管１２２０の外周面及び筒１１６０の内周面の間隙に充填剤が充填されてもよい。例えば、間隙がシリコンシーラントで充填されてもよい。左側の噴射ノズル１０８０及び左側の複合輸送管１０８２が輸送管接続部１１４１以外の連結機構により連結されてもよい。右側の噴射ノズル１０８１及び右側の複合輸送管１０８３が輸送管接続部１１４１以外の連結機構により連結されてもよい。例えば、左側の噴射ノズル１０８０及び左側の複合輸送管１０８２がフランジ対により連結されてもよい。右側の噴射ノズル１０８１及び右側の複合輸送管１０８３がフランジ対により連結されてもよい。
【００７９】
非湾曲輸送管挿入孔１３６０の断面形状は、円形である。非湾曲輸送管挿入孔１３６０の断面形状は、挿入される非湾曲輸送管１２２０の断面形状に適合すべきである。このため、非湾曲輸送管挿入孔１３６０の断面形状が円形以外である場合もある。
【００８０】
（湾曲輸送管及び非湾曲輸送管の連結構造）
図８に示すように、左側の複合輸送管１０８２及び右側の複合輸送管１０８３の各々は、非湾曲輸送管１２２０及び湾曲輸送管１２２２の２個の分割体からなる。左側の複合輸送管１０８２及び右側の複合輸送管１０８３の両方又は片方が３個以上の分割体から構成されてもよい。左側の複合輸送管１０８２及び右側の複合輸送管１０８３の両方又は片方が１個の輸送管に置き換えられてもよい。
【００８１】
非湾曲輸送管１２２０は、湾曲輸送管１２２２に連結される。非湾曲区間１４２０は、湾曲区間１４２１に通じる。非湾曲区間１４２０は、湾曲区間１４２１より下流にある。
【００８２】
非湾曲輸送管１２２０及び湾曲輸送管１２２２は、非湾曲輸送管１２２０の上流側の端部１６６０及び湾曲輸送管１２２２の下流側の端部１６５０が当たった状態で第１のカップリング１２２１により連結される。非湾曲輸送管１２２０及び湾曲輸送管１２２２が第１のカップリング１２２１以外の連結機構により結合されてもよい。非湾曲区間１４２０の断面形状及び湾曲区間１４２１の断面形状は一致する。非湾曲輸送管１２２０及び湾曲輸送管１２２２の連結箇所において流路の断面は広がることも狭まることもない。このため、膨張ひる石１０９０が流路に詰まりにくい。非湾曲区間１４２０の断面が湾曲区間１４２１の断面より広げられ、非湾曲輸送管１２２０及び湾曲輸送管１２２２の連結箇所において流路の断面が広がってもよい。
【００８３】
（曲率半径）
図８に示すように、湾曲区間１４２１の中心線１６１０の曲率半径は、望ましくは湾曲区間１４２１の内径の５倍以上１０倍以下である。曲率半径がこの範囲内である場合は、膨張ひる石１０９０が流路に詰まりにくく、湾曲輸送管１２２２が大きくなりすぎない。曲率半径がこの範囲より小さい場合は、膨張ひる石１０９０が流路に詰まりやすい。曲率半径がこの範囲より大きい場合は、湾曲輸送管１２２２が大きくなりすぎる。輸送流路１２６０が２個以上の湾曲区間１４２１を備える場合は、望ましくは全ての湾曲区間１４２１が上記の条件を満たす。
【００８４】
（膨張ひる石及び圧送ガスを供給する機構の接続の形態）
図８に示すように、湾曲輸送管１２２２及び放出口９００１は、湾曲輸送管１２２２の上流側の端部１６７０及び放出口９００１の端部９００２が当たった状態で第２のカップリング１２２３により連結される。湾曲輸送管１２２２及び放出口９００１が第２のカップリング１２２３以外の連結機構により連結されてもよい。湾曲区間１４２１の断面形状及び放出口９００１に形成された流路１４２２の断面の形状は一致する。湾曲輸送管１２２２及び放出口９００１の連結箇所において流路の断面は広がることも狭まることもない。このため、膨張ひる石１０９０が流路に詰まりにくい。湾曲区間１４２１の断面が放出口９００１に形成された流路１４２２の断面より広げられ、湾曲輸送管１２２２及び放出口９００１の連結箇所において流路の断面が広がってもよい。
【００８５】
本発明は詳細に示され記述されたが、上記の記述は全ての局面において例示であって限定的ではない。したがって、本発明の範囲からはずれることなく無数の修正及び変形が案出されうると解される。
【符号の説明】
【００８６】
１０００  電力貯蔵装置
１０２０  筐体
１０２１  モジュール電池
１０２２  消火のための機構
１０８０  左側の噴射ノズル
１０８１  右側の噴射ノズル
１０８２  左側の複合輸送管
１０８３  右側の複合輸送管
１０８４  カゴ
１０８５  左側の中央誘導板
１０８６  右側の中央誘導板
１０８７  延焼防止板
１１００  容器
１１０１  単電池群
【図１】
2014061202.tif 000003
【図２】
2014061202.tif 000004
【図３】
2014061202.tif 000005
【図４】
2014061202.tif 000006
【図５】
2014061202.tif 000007
【図６】
2014061202.tif 000008
【図７】
2014061202.tif 000009
【図８】
2014061202.tif 000010
【図９】
2014061202.tif 000011
【図１０】
2014061202.tif 000012
【図１１】
2014061202.tif 000013
【図１２】
2014061202.tif 000014